(57)【要約】【課題】容易にあぐら姿勢で座ることが可能な釣用ズボンを提供する。【解決手段】生地からなるズボン本体と、生地からなり、該ズボン本体の尻部近傍に取り付けられた尻部材１とを備え、前記尻部材１は、着用者が立った姿勢のときに後方に向けて立体的に膨出すると共に、着用者があぐら姿勢で座ったときに該尻部材１が膝方向に引っ張られて略平面状に展開するように構成されてなる。【選択図】　　　　　図１
2004041120.tif 000002
【特許請求の範囲】
【請求項１】
生地からなるズボン本体と、生地からなり、該ズボン本体の尻部近傍に取り付けられた尻部材（１）とを備え、前記尻部材は、着用者が立った姿勢のときに後方に向けて立体的に膨出すると共に、着用者があぐら姿勢で座ったときに該尻部材（１）が両膝方向に引っ張られて略平面状に展開するように構成されてなることを特徴とする釣用ズボン。
【請求項２】
前記尻部材（１）は、略円錐状に膨出していることを特徴とする請求項１に記載の釣用ズボン。
【請求項３】
前記尻部材（１）は、円弧状部（１０）と直線部（１１）とを備えた略逆扇状に形成されており、当該尻部材（１）の円弧部（１０）の曲率中心（Ｃ）近傍を頂点として略円錐状に形成されていることを特徴とする請求項１または２に記載の釣用ズボン。
【請求項４】
前記尻部材（１）は、同形状に形成された二枚の布が重ねられてなることを特徴とする請求項１乃至３に記載の釣用ズボン。
【発明の詳細な説明】
【０００１】
【発明の属する技術分野】
本発明は釣用ズボン、特に、あぐら姿勢で座った状態で釣を行う際に着用する釣用ズボンに関する。
【０００２】
【従来の技術】
釣には様々な形態があるが、例えば、へら鮒釣りなどは池や川などの岸辺にあぐら姿勢で座った状態で行われている。このようなへら鮒釣りを行うときは、スラックス、デニムなどの普段着用のズボンや、或いは、保温性、耐水性などを考慮した釣用ズボンなどを着用している。
【０００３】
【発明が解決しようとする課題】
しかしながら、普段着用のズボンや、従来の釣用ズボンは、あぐら姿勢を考慮した形状に形成されておらず、着用者が立った姿勢のときに、ズボンの尻部が着用者の尻の形状に沿うように形状設定されている。
【０００４】
そのため、両足を開脚したあぐら姿勢になると、ズボンの尻部近傍が両膝方向に引っ張られて突っ張った状態となるため、着用者の尻及び股付近が窮屈な状態となり、長時間あぐら姿勢を維持することが困難であった。
【０００５】
また、このような状態で長時間あぐら姿勢を続けると足の血行が悪くなったり、足が疲れるという問題があった。
【０００６】
本発明は、斯かる実情に鑑み、容易にあぐら姿勢で座ることが可能な釣用ズボンを提供することを課題とする。
【０００７】
【課題を解決するための手段】
上記課題を解決するために、本発明に係る釣用ズボンは、請求項１に記載の如く、生地からなるズボン本体と、生地からなり、該ズボン本体の尻部近傍に取り付けられた尻部材１とを備え、前記尻部材１は、着用者が立った姿勢のときに後方に向けて立体的に膨出すると共に、着用者があぐら姿勢で座ったときに該尻部材１が膝方向に引っ張られて略平面状に展開するように構成されてなることを特徴とする。
【０００８】
かかる請求項１に記載の釣用ズボンによれば、立体的に膨出した尻部材１が、あぐら姿勢で座ったときに略平面状になることにより、ズボン尻部近傍の面積が大きくなるため、容易にあぐら姿勢を維持できる。
【０００９】
また、本発明に係る釣用ズボンは、請求項２に記載の如く、前記尻部材１は、略円錐状に膨出していることを特徴とする。
【００１０】
尻部材１は、請求項３に記載の如く、前記尻部材１は、円弧状部１０と直線部１１とを備えた略逆扇状に形成されており、当該尻部材１の円弧部１０の曲率中心Ｃ近傍を頂点として略円錐状に形成されていることをが好ましい。尚、逆扇状とは、円形をその外周の一部と二本の等しい長さの直線で形成された扇形で切断した残りの形状であり、前記扇形の二本の直線は、必ずしも前記円形の半径と等しくする必要はない。
【００１１】
また、尻部材１は、請求項４に記載の如く、同形状に形成された二枚の布が重ねられてなることが好ましい。
【００１２】
そうすれば、あぐら姿勢に座ったときに、尻部が二重の布で形成されるため、座り心地が向上する。
【００１３】
【発明の実施の形態】
以下、本発明の実施の形態を添付図面を参照して説明する。
【００１４】
本実施形態に係る釣用ズボンは、図１に示す如く、防水性を有する生地で形成されたズボン本体の尻部に、尻部材１が設けられてなる。
【００１５】
詳細に説明すると、着用者の右側の尻及び右足後方を覆う右後部材２と、左側の尻及び左足後方を覆う左後部材３とを、各部材２，３の上方に設けられた直線部２１，３１で縫合することにより、ズボン本体の後側を構成する後側部材が形成され、当該後方部材をズボン本体の前側を構成する前側部材（図示省略）と縫合することでズボン本体が形成される。
【００１６】
図３に示す如く、右後部材２及び左後部材３には弧状に切欠かれた弧状部２０，３０が形成されており、該弧状部２０，３０によってズボン本体の尻部に略円形の切欠きが形成されている。そして、前記尻部材１は、該切欠きに縫合されている。尚、図３において、各部材の外周のハッチングで示す部分は、他の部材との縫い代を示す。
【００１７】
尻部材１は、前記ズボン本体と同質の防水性を有する生地からなり、逆扇状に形成されている。具体的には、前記尻部材１は、略円形の生地を、該円形の生地の外周の一部を含む扇形で切除した形状であり、好ましくは、図４に示す如く、前記円形の生地の曲率中心Ｃを残して扇形で切除した形状に形成される。言い換えると、前記尻部材１は、弧状の円弧部１０と、円弧部１０の曲率中心に向かってくの字状に折曲し、一辺が前記円弧部１０の半径よりも短く寸法設定された直線部１１とを備え、該直線部１１の端部は、前記円弧部１０の円弧端にそれぞれ接続されている。そして好ましくは、直線部１１の折曲角は、１２０゜〜１７０゜、より好ましくは１４０゜〜１５０゜に形状設定されている。
【００１８】
かかる尻部材１の円弧部１０の曲率半径は、前記右後部材２及び左後部材３の弧状部２０，３０の曲率半径よりも長く、且つ、円弧部１０の長さが各弧状部２０，３０の合計長さと同一に形状設定されており、円弧部２０，３０よって形成されたズボン本体の切欠きに尻部材１の円弧部１０を直線部１１が下側となるように縫合することで、尻部材１が略円錐状に形状変形して、ズボン本体の後方に向かって膨出することとなる。
【００１９】
詳細に説明すると、図２に示す如く、ズボン本体の切欠きに縫合された尻部材１は、直線部近傍１２が内側に折り畳まれることにより、円弧部１０の曲率中心Ｃ近傍を頂点とした略円錐状となる。そして、着用者があぐら姿勢のような開脚姿勢になったときは、内側に折り畳まれた直線部近傍１２が開脚方向に広がることによって無理無く開脚することができる。尚、尻部材１の曲率半径は７０〜２００ｃｍ、好ましくは１２０〜１５０ｃｍに形成される。尚、あぐら姿勢に座ったときに、尻部材１の円弧部１０の縫合箇所が、着用者の体重がかかる位置にこないようにすることが好ましい。
【００２０】
また、前記ズボン本体の上端部４及び裾部５には、ゴムが取り付けられており、当該ゴムによって上端部４及び裾部５が、それぞれ着用者の腰及び足首フィットするため、ズボンがズレ下がったり、或いは釣場などでズボンの裾部５が岩などに引っ掛かることを防止できる。
【００２１】
そして、上記の如く構成された釣用ズボンを装着すると、尻部材１が後方に向けて略円錐状に膨出することにより、装着者の尻と、ズボンの尻部との間にゆとりが生じる。そして、あぐら姿勢になったときは、図４に示す如く、尻部材１が両膝方向に引っ張られて平面状に広がる。このように、尻部材１が平面状に広がることにより、あぐら姿勢になっても、ズボンが窮屈にならないという利点を有する。
【００２２】
また、尻部材１を略逆扇状に形成すると共に、ズボン本体の尻部に設けることにより、ズボン本体の尻部の真中に縫合部分が生じないため、あぐら姿勢に座ったときに、縫合部分が尻部に当たることによる不快感を防止できる。
【００２３】
尚、本発明の釣用ズボンは、上記した実施の形態に限定されるものではなく、本発明の要旨を逸脱しない範囲内において種々変更を加え得ることは勿論である。例えば、前記尻部材１を複数枚重ねてもよい。そうすることで、あぐら姿勢になったときに、尻部材１がクッションになるため、硬い場所に座った場合でも着用者の尻が保護され、すわり心地が向上する。
【００２４】
また、ズボン本体を構成する各部材を２重にし、且つ、その間に、綿などを介在させて縫合してもよい。そうすることにより、保温性を持たせられるため、冬場でも快適に釣を楽しむことができる。
【００２５】
【発明の効果】
以上のように、本発明に係る釣用ズボンは、ズボン本体の尻部近傍に、後方に向かって膨出する尻部材を設けることにより、あぐら姿勢で座ったときズボン本体が突っ張ることがなくなるため、容易にあぐら姿勢を維持することが可能となる。
【図面の簡単な説明】
【図１】本発明に係る釣用ズボンを示す背面図である。
【図２】同釣用ズボンの尻部近傍を示す斜視図である。
【図３】同釣用ズボンを構成する部材を示す平面図である。
【図４】同釣用ズボンを着用してあぐら姿勢になったときの状態を地面側から見た状態を示す。
【符号の説明】
１…尻部材、２…右後部材、３…左後部材、１０…円弧部、１１…直線部、２０，３０…弧状部、２１，３１…直線部、Ｃ…曲率中心
【図１】
2004041120.tif 000003
【図２】
2004041120.tif 000004
【図３】
2004041120.tif 000005
【図４】
2004041120.tif 000006